(57)【要約】【課題】準耐火性能が要求される建物において、準耐火性能を確保すると共に床部の設計の自由度を高める。【解決手段】建物１０は、二階に設けられた第１小梁８２のＹ方向と交差するＸ方向の第１幅Ｗ１が、一階に設けられた第２小梁４４のＸ方向の第２幅Ｗ２よりも広い。二階におけるビス５２から野縁８４の端面８４ＡまでのＸ方向の第１長さＬ１が、一階におけるビス５２から野縁４６の端面４６ＡまでのＸ方向の第２長さＬ２よりも長い。【選択図】図６
2019039185.tif 000002
【特許請求の範囲】
【請求項１】
天井材が野縁を介して取付部材により取付けられる天井小梁と、該天井小梁に対して高さ方向の上側に配置される床部とが、該高さ方向に複数並ぶ多層階建ての建物であって、
一の階に設けられた前記天井小梁としての第１小梁の前記高さ方向と交差する交差方向の第１幅が、他の階に設けられた前記天井小梁としての第２小梁の前記交差方向の第２幅よりも広く、
前記一の階における前記取付部材から前記野縁の端面までの前記交差方向の第１長さが、前記他の階における前記取付部材から前記野縁の端面までの前記交差方向の第２長さよりも長い建物。
【請求項２】
前記一の階における前記床部を構成する床材は、前記交差方向に複数配置され、隣合う前記床材の目地の少なくとも一部が、前記第１小梁に対して前記交差方向にずれて配置されている請求項１に記載の建物。
【請求項３】
前記床部を構成する床材の密度がパーティクルボードの密度よりも大きい請求項１又は請求項２に記載の建物。
【請求項４】
前記第１小梁に対して前記交差方向に並ぶ天井大梁と、
前記床部を構成する床材を支持する第３小梁と、
前記天井大梁の前記高さ方向の上側に配置され前記第３小梁に対して前記交差方向に並ぶ床大梁と、
が設けられた請求項１から請求項３のいずれか１項に記載の建物。
【発明の詳細な説明】
【技術分野】
【０００１】
本発明は、建物に関する。
【背景技術】
【０００２】
特許文献１の防火床では、床材の裏側又は床材が施工された直下の天井材上側に、熱膨張性シート層が積層されている。
【先行技術文献】
【特許文献】
【０００３】
【特許文献１】特開２０００−５４５２８号公報
【発明の概要】
【発明が解決しようとする課題】
【０００４】
準耐火性能が要求される建物において、下階の天井部及び上階の床部で仕様を制限することで、準耐火性能を確保した建物がある。しかし、床部については、天井部に比べて居室の用途によって望まれる仕様が多く存在するために、仕様が制限されてしまうと、設計の自由度が低くなる。つまり、準耐火性能が要求される建物において、耐火性能を確保すると共に床部の設計の自由度を高めるには、改善の余地がある。
【０００５】
本発明は、準耐火性能が要求される建物において、準耐火性能を確保すると共に床部の設計の自由度を高めることを目的とする。
【課題を解決するための手段】
【０００６】
第１態様に係る建物は、天井材が野縁を介して取付部材により取付けられる天井小梁と、該天井小梁に対して高さ方向の上側に配置される床部とが、該高さ方向に複数並ぶ多層階建ての建物であって、一の階に設けられた前記天井小梁としての第１小梁の前記高さ方向と交差する交差方向の第１幅が、他の階に設けられた前記天井小梁としての第２小梁の前記交差方向の第２幅よりも広く、前記一の階における前記取付部材から前記野縁の端面までの前記交差方向の第１長さが、前記他の階における前記取付部材から前記野縁の端面までの前記交差方向の第２長さよりも長い。
【０００７】
第１態様に係る建物では、一の階における第１小梁の交差方向の第１幅が、他の階における第２小梁の交差方向の第２幅よりも広い。さらに、一の階における取付部材から野縁の端面までの交差方向の第１長さが、他の階における取付部材から野縁の端面までの交差方向の第２長さよりも長い。つまり、一の階では、他の階に比べて、「端空き」が長いことで取付部材の周辺部での耐力が大きくなっているので、天井材及び野縁が加熱された場合に、天井材を長時間、保持することができる。換言すると、一の階では、天井部の準耐火性能が確保されている。このため、一の階の天井小梁に対する上側の床部では、準耐火性能の制約を受けない設計が可能となる。これにより、準耐火性能が要求される建物において、準耐火性能を確保すると共に床部の設計の自由度を高めることができる。
【０００８】
第２態様に係る建物の前記一の階における前記床部を構成する床材は、前記交差方向に複数配置され、隣合う前記床材の目地の少なくとも一部が、前記第１小梁に対して前記交差方向にずれて配置されている。
【０００９】
第２態様に係る建物では、床部を構成する複数の床材の目地の少なくとも一部が、第１小梁に対して交差方向にずれた場所に配置される。これにより、第１小梁の配置に合わせて床材を切断して配置する必要がなくなるので、建物の生産性を高めることができる。
【００１０】
第３態様に係る建物の前記床部を構成する床材の密度がパーティクルボードの密度よりも大きい。
【００１１】
第３態様に係る建物では、床材の密度がパーティクルボードの密度よりも大きいことで、床部の制振性が高められている。これにより、床材の密度がパーティクルボードの密度以下の構成に比べて、床部に設けるダンパーの数を減らすことができる。
【００１２】
第４態様に係る建物は、前記第１小梁に対して前記交差方向に並ぶ天井大梁と、前記床部を構成する床材を支持する第３小梁と、前記天井大梁の前記高さ方向の上側に配置され前記第３小梁に対して前記交差方向に並ぶ床大梁と、が設けられている。
【００１３】
第４態様に係る建物では、第３小梁が床材を支持する。さらに、下階の天井材と上階の床部との間（階間）に、天井大梁の高さに応じた空間部と、床大梁の高さに応じた空間部とが形成される。このため、１つの大梁の上下に床部及び天井材を設ける構成に比べて、階間の空間部の大きさが大きくなるので、下階から上階に熱が伝わり難くなる。これにより、建物の準耐火性能を高めることができる。
【発明の効果】
【００１４】
以上説明したように、本発明に係る建物では、準耐火性能が要求される建物において、準耐火性能を確保すると共に床部の設計の自由度を高めることができる。
【図面の簡単な説明】
【００１５】
【図１】第１実施形態に係る建物の全体構成図である。
【図２】（Ａ）第１実施形態に係る２階の天井部及び３階の床部の部分拡大断面図であり、（Ｂ）第１実施形態に係る２階の天井部における小梁の周辺部を示す部分拡大断面図である。
【図３】第１実施形態に係る１階の天井部及び２階の床部の部分拡大断面図である。
【図４】第１実施形態に係る２階の床部の平面図である。
【図５】第１実施形態に係る１階の天井部及び２階の床部の縦断面図（図４の５−５線断面）である。
【図６】第１実施形態に係る２階の床部における小梁の周辺部を示す部分拡大断面図である。
【図７】第２実施形態に係る１階の天井部及び２階の床部の部分拡大断面図である。
【発明を実施するための形態】
【００１６】
[第１実施形態]
第１実施形態に係る建物の一例について説明する。
【００１７】
〔全体構成〕
図１には、第１実施形態の建物１０が模式的に示されている。なお、以後の説明では、建物１０の桁方向をＸ方向、妻方向をＺ方向、上下方向（高さ方向）をＹ方向と称する。Ｘ方向、Ｙ方向及びＺ方向は、互いに直交する。Ｘ方向は、交差方向の一例である。
【００１８】
建物１０は、一例として、基礎１２上に図示しない複数の下階側の建物ユニットを据え付けた後で、下階側の建物ユニット上に図示しない複数の上階側の建物ユニットを据え付け、この工程を繰返すことで、三階建てのユニット建物として構成されている。建物ユニットは、一例として、長短２組の床大梁と、長短２組の天井大梁と、床大梁と天井大梁とを連結する４本の柱とを含んで構成されている。また、建物１０は、シャッター等を含む防火設備１４が設けられた外壁１６を有する。
【００１９】
具体的には、建物１０は、一階床部２２と、一階天井部２４と、二階床部２６と、二階天井部２８と、三階床部３２と、三階天井部３４と、屋根部３６とを含んで構成されている。一階床部２２、二階床部２６、三階床部３２は、床部の一例である。なお、以後の説明では、耐火時間３０分以上の耐火性能を準耐火性能と称する。本実施形態では、建物１０において、準耐火性能を有する部位を準耐火仕様の部位と称し、準耐火性能が必要とされていない部位を一般仕様の部位と称して区別する。
【００２０】
建物１０において、一階床部２２、一階天井部２４、二階床部２６、三階天井部３４及び屋根部３６は、一般仕様の部位とされている。一方、二階天井部２８及び三階床部３２は、準耐火仕様であることが必要とされているが、本実施形態では、後述するように、二階天井部２８の準耐火仕様を高めることで、三階床部３２を一般仕様とすることを可能としている。
【００２１】
まず、一般仕様の一階天井部２４及び二階床部２６について説明する。なお、一階床部２２は、二階床部２６と同様の構造とされているため、説明を省略する。また、三階天井部３４は、一階天井部２４と同様の構造とされているため、説明を省略する。屋根部３６は、一般的な屋根構造とされているため、説明を省略する。本実施形態では、二階が一の階の一例であり、一階が他の階の一例とされている。
【００２２】
＜一階天井部＞
図２（Ａ）に示すように、一階天井部２４は、天井大梁４２と、天井小梁の一例としての第２小梁４４と、野縁４６と、天井材４８と、取付部材の一例としてのビス５２と、断熱材５４とを含んで構成されている。天井大梁４２は、一例として、Ｚ方向に延在された溝形鋼で構成されており、図示しない柱に支持されている。また、天井大梁４２は、ウェブ４２Ａ、下フランジ４２Ｂ及び上フランジ４２Ｃを有する。第２小梁４４は、一例として、Ｚ方向に延在された角形鋼管で構成されており、図示しない桁側の天井大梁に架設されている。
【００２３】
野縁４６は、一階天井部２４に複数設けられている。具体的には、野縁４６は、Ｚ方向に延在された木材で構成されており、Ｚ方向から見た場合の断面形状が、Ｘ方向を長手方向としＹ方向を短手方向とする矩形状とされている。複数の野縁４６は、下フランジ４２Ｂの下面と、第２小梁４４の下面とにそれぞれ固定されている。野縁４６のＸ方向両側の側面を端面４６Ａ（図２（Ｂ）参照）と称する。
【００２４】
天井材４８は、一例として、平面視で（Ｙ方向の上側から見て）矩形の板状に形成された石膏ボードで構成されている。また、天井材４８は、Ｘ方向及びＺ方向に沿って複数並べられている。さらに、天井材４８は、野縁４６にＹ方向の下側から重ねられ、ビス５２を用いて野縁４６及び天井大梁４２、野縁４６及び第２小梁４４に取付けられている。なお、図２（Ａ）では、天井大梁４２に天井材４８を取付けるビスの図示を省略している。断熱材５４は、一例として、グラスウールを含んで構成されており、天井材４８上に敷き詰められている。
【００２５】
図２（Ｂ）には、第２小梁４４への天井材４８の取付部分が示されている。２つの天井材４８は、野縁４６のＹ方向の下側に目地５１が配置されるように、Ｘ方向に並んで配置されている。目地５１に対してＸ方向一方側の天井材４８、他方側の天井材４８は、それぞれビス５２を用いての野縁４６及び第２小梁４４に取付けられている。目地５１には、パテ５３が充填されている。ここで、第２小梁４４のＸ方向の幅を第２幅Ｗ２とする。また、野縁４６における１つの端面４６Ａから、ビス５２の図示しない中心軸までのＸ方向の長さを第２長さＬ２とする。換言すると、一階天井部２４では、天井材４８は、２箇所の端あきがそれぞれＬ２となるように、第２小梁４４に取付けられている。
【００２６】
＜二階床部＞
図２（Ａ）に示すように、二階床部２６は、床大梁６２と、床小梁６４と、根太６６と、床材６８と、図示しないビスと、ブラケット７２と、ダンパー７４とを含んで構成されている。床大梁６２は、一例として、Ｚ方向に延在された溝形鋼で構成されており、一階の天井大梁４２の建物上方側に配置されている。また、床大梁６２は、ウェブ６２Ａ、下フランジ６２Ｂ及び上フランジ６２Ｃを有する。床小梁６４は、一例として、Ｚ方向に延在された角形鋼管で構成されており、図示しない桁側の床大梁に架設されている。また、床小梁６４は、第２小梁４４の建物上方側に配置されている。
【００２７】
根太６６は、Ｚ方向に延在されており、Ｚ方向から見た場合の断面形状が、Ｘ方向を長手方向としＹ方向を短手方向とする矩形状とされている。また、根太６６は、上フランジ６２Ｃの上面に固定されている。
【００２８】
床材６８は、一例として、平面視で（Ｙ方向の上側から見て）、略矩形状に形成された準不燃材料である木質系セメント板で構成されている。また、床材６８は、Ｘ方向及びＺ方向に沿って複数並べられて、二階床部２６を構成している。Ｘ方向屋外側の端部に配置された床材６８は、Ｘ方向の一端部が根太６６にＹ方向の上側から重ねられ、Ｘ方向の他端部が床小梁６４にＹ方向の上側から重ねられて、図示しないビスを用いて、根太６６及び床大梁６２と、床小梁６４とに取付けられている。Ｘ方向屋内側に配置された床材６８は、Ｘ方向の両端部が床小梁６４にＹ方向の上側から重ねられて、図示しないビスを用いて、床小梁６４に取付けられている。床小梁６４上には、複数の床材６８の目地６９が配置されている。
【００２９】
ブラケット７２は、床小梁６４のＹ方向の下面に固定され、床小梁６４に対してＸ方向の一方側と他方側とに張出されている。ブラケット７２における床小梁６４に対するＸ方向の一方側の上面及び他方側の上面には、ダンパー７４が取付けられている。ダンパー７４によって、二階床部２６の制振が行われる。
【００３０】
〔要部構成〕
次に、二階天井部２８及び三階床部３２について説明する。
【００３１】
＜二階天井部＞
図３に示すように、二階天井部２８は、天井大梁４２と、天井小梁の一例としての第１小梁８２と、野縁８４と、天井材４８と、ビス５２と、断熱材５４とを含んで構成されている。第１小梁８２は、一例として、Ｚ方向に延在された角形鋼管で構成されており、図示しない桁側の天井大梁に架設されている。天井大梁４２は、第１小梁８２に対してＸ方向に並んでいる。
【００３２】
野縁８４は、二階天井部２８に複数設けられている。具体的には、野縁８４は、Ｚ方向に延在された木材で構成されており、Ｚ方向から見た場合の断面形状が、Ｘ方向を長手方向としＹ方向を短手方向とする矩形状とされている。複数の野縁８４は、下フランジ４２Ｂの下面と、第１小梁８２の下面とにそれぞれ固定されている。野縁８４のＸ方向両側の側面を端面８４Ａと称する。
【００３３】
天井材４８は、Ｘ方向及びＺ方向に沿って複数並べられている。天井材４８のＸ方向の両端部は、野縁８４にＹ方向の下側から重ねられ、ビス５２を用いて野縁８４及び天井大梁４２、野縁８４及び第１小梁８２に取付けられている。なお、図３では、天井大梁４２に天井材４８を取付けるビス５２の図示を省略している。断熱材５４は、天井材４８上に敷き詰められている。
【００３４】
図６には、第１小梁８２への天井材４８の取付部分が示されている。２つの天井材４８は、野縁８４のＹ方向の下側に目地８５が配置されるように、Ｘ方向に並んで配置されている。目地８５に対してＸ方向一方側の天井材４８、他方側の天井材４８は、それぞれビス５２を用いて野縁８４及び第１小梁８２に取付けられている。目地８５には、パテ５３が充填されている。
【００３５】
ここで、第１小梁８２のＸ方向の幅を第１幅Ｗ１とする。また、野縁８４におけるＸ方向の１つの側面である端面８４Ａから、ビス５２の図示しない中心軸までのＸ方向の長さを第１長さＬ１とする。換言すると、二階天井部２８では、天井材４８は、２箇所の端あきがそれぞれＬ１となるように、野縁８４を介して第１小梁８２に取付けられている。第１幅Ｗ１は、第２幅Ｗ２（図２（Ｂ）参照）よりも広い。また、第１長さＬ１は、第２長さＬ２（図２（Ｂ）参照）よりも長い。
【００３６】
＜三階床部＞
図３に示すように、三階床部３２は、床大梁６２と、第３小梁の一例としての床小梁８６と、根太６６と、床材８８と、図示しないビスと、ブラケット７２と、ダンパー９２とを含んで構成されている。床大梁６２は、二階の天井大梁４２の建物上方側に配置されている。床小梁８６は、一例として、Ｚ方向に延在された角形鋼管で構成されており、図示しない桁側の床大梁に架設されている。また、床小梁８６は、床材８８をＹ方向の下側から支持する。さらに、床小梁８６は、第１小梁８２の建物上方側に配置されている。床大梁６２は、天井大梁４２のＹ方向の上側に配置され、床小梁８６に対してＸ方向に並んでいる。
【００３７】
図４に示す床材８８は、一例として、平面視で（Ｙ方向の上側から見て）、略矩形状に形成された準不燃材料である木質系セメント板で構成されている。また、床材８８は、予め複数のサイズに切断されており、Ｘ方向及びＺ方向に沿って複数並べられ、三階床部３２を構成している。具体的には、床材８８は、Ｘ方向に複数配置され、隣合う床材８８の目地８５の少なくとも一部（Ｚ方向に沿った目地８５）が、床小梁８６に対してＸ方向にずれて配置されている。目地８５は、一例として、隣合う床小梁８６のＸ方向の間のほぼ中央位置（それぞれの床小梁８６からのＸ方向の長さがほぼ等しくなる位置）に配置されている。なお、三階床部３２では、複数の床材８８のＺ方向に並ぶ目地８９が、Ｘ方向に沿って延びている。
【００３８】
図３に示すＸ方向屋外側端部に配置された床材８８において、Ｘ方向の一端部は、根太６６にＹ方向の上側から重ねられ、図示しないビスを用いて、根太６６及び床大梁６２に取付けられている。また、この床材８８において、Ｘ方向の他端部は、隣合う床小梁８６のＸ方向の間のほぼ中央位置に配置されており、床小梁８６には支持されていない。換言すると、目地８５は、床小梁８６上には配置されていない。
【００３９】
図５に示すように、ブラケット７２は、床小梁８６のＹ方向の下面に固定され、床小梁８６に対してＸ方向の一方側と他方側とに張出されている。ブラケット７２における床小梁８６に対するＸ方向の一方側の上面及び他方側の上面には、ダンパー９２が取付けられている。ダンパー９２によって、三階床部３２の制振が行われる。ブラケット７２は、それぞれの床小梁８６に固定されている。
【００４０】
以上、説明したように、建物１０は、第２小梁４４及び第２小梁４４に対してＹ方向の上側（建物上方側）に配置される二階床部２６と、第１小梁８２及び第１小梁８２に対してＹ方向の上側に配置される三階床部３２とが、Ｙ方向に並ぶ多層階建てとされている。
【００４１】
〔作用〕
次に、第１実施形態の作用について説明する。
【００４２】
図６に示す建物１０では、二階の第１小梁８２の第１幅Ｗ１が、一階の第２小梁４４の第２幅Ｗ２（図２（Ｂ）参照）よりも広い。さらに、二階の第１長さＬ１が、一階の第２長さＬ２（図２（Ｂ）参照）よりも長い。つまり、二階天井部２８では、一階天井部２４（図２（Ｂ）参照）に比べて、「端空き」が長いことでビス５２の周辺部での耐力が大きくなっている。このため、天井材４８及び野縁８４が加熱された場合に、パテ５３が目地８５から脱落することがあっても、一般仕様の構成に比べて、天井材４８を長時間、保持することができる。
【００４３】
換言すると、二階天井部２８では、準耐火性能が確保されると共に高められている。このため、図３に示す二階天井部２８の第１小梁８２に対する上側の三階床部３２では、準耐火性能の制約を受けない設計が可能となる。これにより、準耐火性能が要求される建物１０において、準耐火性能を確保すると共に三階床部３２の設計の自由度を高めることができる。
【００４４】
また、建物１０では、目地８５が、第１小梁８２に対してＸ方向にずれた場所に配置される。これにより、第１小梁８２の配置に合わせて床材８８を切断して配置する必要がなくなるので、建物１０の生産性を高めることができる。
【００４５】
さらに、建物１０では、床小梁８６が床材８８を支持する。さらに、二階の天井材４８と三階床部３２との間（階間）に、天井大梁４２のＹ方向の高さに応じた空間部Ｋ１と、床大梁６２のＹ方向の高さに応じた空間部Ｋ２とが形成される。このため、１つの大梁の上下に床部及び天井材を設ける構成に比べて、階間の空間部の大きさが大きくなるので、二階から三階に熱が伝わり難くなる。これにより、建物１０の準耐火性能を高めることができる。
【００４６】
[第２実施形態]
次に、第２実施形態に係る建物の一例について説明する。なお、前述した第１実施形態と基本的に同一の部材、部位には、前記第１実施形態と同一の符号を付与してその説明を省略する。
【００４７】
図７には、第２実施形態に係る建物１００が示されている。建物１００は、第１実施形態の建物１０（図３参照）において、三階床部３２を構成する床材８８（図３参照）が床材１０２に換えられた構成とされている。建物１００における床材１０２以外の構成及び構造は、建物１０と同様であるため、説明を省略する。
【００４８】
床材１０２は、一例として、平面視で（Ｙ方向の上側から見て）略矩形状に形成された、準不燃材料である硬質木毛セメント板で構成されている。床材１０２の密度は、パーティクルボードの密度（ＪＩＳ  Ａ５９０８に記載の密度０．４０ｇ／ｃｍ３以上０．９０ｇ／ｃｍ３以下）よりも大きく、一例として、１．０ｇ／ｃｍ３とされている。なお、床材１０２の密度は、床材６８（図２（Ａ）参照）の密度よりも大きい。
【００４９】
また、床材１０２は、予め複数のサイズに切断されており、Ｘ方向及びＺ方向に沿って複数並べられ、三階床部３２を構成している。具体的には、床材１０２は、Ｘ方向に複数配置され、隣合う床材１０２の目地１０４の少なくとも一部（Ｚ方向に沿った目地１０４）が、床小梁８６に対してＸ方向にずれて配置されている。目地１０４は、一例として、隣合う床小梁８６のＸ方向の間のほぼ中央位置（それぞれの床小梁８６からのＸ方向の長さがほぼ等しくなる位置）に配置されている。
【００５０】
Ｘ方向屋外側端部に配置された床材１０２において、Ｘ方向の一端部は、根太６６にＹ方向の上側から重ねられ、図示しないビスを用いて、根太６６及び床大梁６２に取付けられている。また、この床材１０２において、Ｘ方向の他端部は、隣合う床小梁８６のＸ方向の間のほぼ中央位置に配置されており、床小梁８６には支持されていない。換言すると、目地１０４は、床小梁８６上には配置されていない。
【００５１】
〔作用〕
次に、第２実施形態の作用について説明する。
【００５２】
建物１００では、床材１０２の密度がパーティクルボードの密度よりも大きいことで、三階床部３２の制振性が高められている。これにより、床材の密度がパーティクルボードの密度以下の構成に比べて、制振が必要とされる箇所が少なくなるので、三階床部３２に設けるダンパーの数を減らすことができる。図７では、床小梁８６にダンパーが設けられていない箇所が示されている。建物１００において、床材１０２以外の構成における作用は、第１実施形態の建物１０（図３参照）と同様であるため、説明を省略する。
【００５３】
なお、本発明は上記の実施形態に限定されない。
【００５４】
建物１０、１００は、三階建てに限らず、四階建て以上の多層階建ての建物であってもよい。一の階は、二階に限らず、三階以上の階であってもよい。他の階は、一階に限らず、三階以上の階であってもよい。
【００５５】
建物１０において、目地８５が第１小梁８２の上側（床小梁８６上）に配置されていてもよい。また、複数の目地８５の全体が、第１小梁８２に対してＸ方向にずれて配置されていてもよい。さらに、建物１０において、床大梁６２及び床小梁８６を取除いて、天井大梁４２の上側に床材８８を配置してもよい。つまり、１つの大梁（小梁含む）の上下に天井材と床材を配置してもよい。
【００５６】
建物１００において、目地１０４が第１小梁８２の上側（床小梁８６上）に配置されていてもよい。また、複数の目地１０４の全体が、第１小梁８２に対してＸ方向にずれて配置されていてもよい。さらに、建物１００において、床材１０２の密度をパーティクルボードの密度以下として、床小梁８６にダンパーを設けてもよい。加えて、建物１００において、床大梁６２及び床小梁８６を取除いて、天井大梁４２の上側に床材８８を配置してもよい。つまり、１つの大梁（小梁含む）の上下に天井材と床材を配置してもよい。
【００５７】
第１小梁８２、第２小梁４４、床小梁８６は、角形鋼管に限らず、溝形鋼で構成されていてもよい。
【００５８】
床材８８は、木質系セメント板に限らず、ＭＤＦ（中密度繊維板）、パーティクルボード、合板など、他の材質の板材で構成されていてもよい。床材１０２は、硬質木毛セメント板に限らず、木質系セメント板、ＭＤＦ、パーティクルボード、合板など、他の材質の板材で構成されていてもよい。また、床材８８、床材１０２は、準耐火仕様のものに限らず、一般仕様のものであってもよい。
【００５９】
野縁８４の密度を野縁４６の密度よりも大きくしてもよい。これにより、野縁８４の燃え代が大きくなり、二階天井部２８の準耐火性能を高めることができる。また、パテ５３の充填量を増したり、断熱材５４の密度を大きくするなどして、準耐火性能を高めてもよい。
【００６０】
取付部材は、ビス５２に限らず、ネイル、ボルト及びナットなど、他の部材を用いてもよい。
【符号の説明】
【００６１】
１０  建物
２２  一階床部（床部の一例）
２６  二階床部（床部の一例）
３２  三階床部（床部の一例）
４２  天井大梁
４４  第２小梁（天井小梁の一例）
４６  野縁
４６Ａ  端面
４８  天井材
５２  ビス（取付部材の一例）
６２  床大梁
８２  第１小梁（天井小梁の一例）
８４  野縁
８４Ａ  端面
８５  目地
８６  床小梁（第３小梁の一例）
８８  床材
１００  建物
１０２  床材
Ｌ１  第１長さ
Ｌ２  第２長さ
Ｗ１  第１幅
Ｗ２  第２幅
【図１】
2019039185.tif 000003
【図２】
2019039185.tif 000004
【図３】
2019039185.tif 000005
【図４】
2019039185.tif 000006
【図５】
2019039185.tif 000007
【図６】
2019039185.tif 000008
【図７】
2019039185.tif 000009